(57)【要約】【目的】使用者を深睡眠へ誘導可能な寝具を実現する。【構成】敷蒲団として用いられる寝具１は、綿やポリウレタン成形体などからなる基材層２と、基材層２の片面全体に配置された黒鉛層３と、基材層２および黒鉛層３の全体を覆う布帛製の表層４とを備えている。黒鉛層３は、基材層２に対して粒子状黒鉛を接着して形成したものである。黒鉛層３において用いられる粒子状黒鉛は、炭素材料を２，０００℃以上で加熱処理することにより得られる、炭素含有量が９９重量％以上の高純度のものである。【選択図】図２
2008048919.tif 000002
【特許請求の範囲】
【請求項１】
粒子状黒鉛を含む寝具。
【請求項２】
基材層と、
前記基材層の少なくとも一部の表面に配置された黒鉛層とを備え、
前記黒鉛層は、粒子状黒鉛を用いて形成されている、
寝具。
【請求項３】
前記黒鉛層を覆う表層をさらに備えている、請求項２に記載の寝具。
【請求項４】
前記基材層は、繊維群、粒子群、羽毛群および弾性成形体からなる群から選ばれた少なくとも一種からなる、請求項２または３に記載の寝具。
【請求項５】
蒲団である、請求項２から４のいずれかに記載の寝具。
【請求項６】
毛布である、請求項２から４のいずれかに記載の寝具。
【請求項７】
ベッド用敷マットである、請求項２から４のいずれかに記載の寝具。
【請求項８】
枕である、請求項２から４のいずれかに記載の寝具。
【請求項９】
粒子状黒鉛を含む黒鉛層と、
前記黒鉛層を封入する表層と、
を備えた寝具。
【発明の詳細な説明】
【技術分野】
【０００１】
本発明は、寝具、特に、機能性の寝具に関する。
【背景技術】
【０００２】
心身の健康促進や快眠促進を目的として、睡眠時の身体に何等かの作用を及ぼす機能性の寝具が種々提案されている。特に、特許文献１〜５は、炭素系材料を用いた寝具を提案している。
特許文献１は、木炭や活性炭のような炭化物が内部に充填された寝具に関するものであり、この寝具は、炭化物の吸着作用により有害ガスや陽イオンを吸着するため、睡眠環境の空気を清浄化することができ、それによって健康促進に寄与するものとされている。
【０００３】
特許文献２は、ポリエチレン樹脂と炭素とを含有する枕用詰材に関するものであり、この詰材は、炭素の熱伝導性を利用した頭寒足熱効果により快眠効果を高めることができるものとされている。
【０００４】
特許文献３は、寝具用材にグラファイト系遠赤外線放射繊維織布素材を設けた遠赤外線放射寝具に関するものであり、これは、グラファイト系遠赤外線放射繊維織布素材として発熱温度を任意に自己制御することができるグラファイト・酸化金属合成素材を用いている。この寝具は、人体の体温のみで遠赤外線を放射し、睡眠中の身体を温めることができるものと考えられる。
【０００５】
特許文献４は、アース用接続コードが設けられた活性炭繊維シートを内部に配設した寝具に関するものであり、この寝具は、活性炭繊維シートを接地することで活性炭繊維から発生するマイナスイオンが新陳代謝し、これによって汗や体臭を吸収するため、安眠を促進することができる。
【０００６】
特許文献５は、カーボン繊維を含む発熱部を有する振動発生手段を備えた寝具に関するものであり、この寝具は、振動発生手段による振動を使用者に与えてリラックスさせ、また、発熱部により使用者の身体を温めることができる。
【０００７】
【特許文献１】特開昭６２−１５２４０６号公報
【特許文献２】特開平１−２２７７１２号公報
【特許文献３】実開平６−６８５５５号公報
【特許文献４】特開平１１−１７８６８５号公報
【特許文献５】特開２００４−２８３６８５号公報
【０００８】
ところで、身体は、就寝前に比べて呼吸数が減少した深い睡眠（以下、「深睡眠」という）が得られた場合に疲労回復が早く、活性化し易いものと考えられている。したがって、寝具は、使用者をこのような深睡眠へ誘導できるものが理想的である。しかし、上述の各特許文献に記載の寝具は、使用者を深睡眠へ誘導可能なものではない。
【０００９】
本発明の目的は、使用者を深睡眠へ誘導可能な寝具を実現することにある。
【発明の開示】
【課題を解決するための手段】
【００１０】
本発明の寝具は、粒子状黒鉛を含むものである。
【００１１】
本発明の一形態に係る寝具は、基材層と、基材層の少なくとも一部の表面に配置された黒鉛層とを備え、黒鉛層は、粒子状黒鉛を用いて形成されている。この形態の寝具は、通常、黒鉛層を覆う表層をさらに備えている。この形態の寝具において、基材層は、通常、繊維群、粒子群、羽毛群および弾性成形体からなる群から選ばれた少なくとも一種からなる。本発明の他の形態に係る寝具は、粒子状黒鉛を含む黒鉛層と、当該黒鉛層を封入する表層とを備えている。本発明の寝具は、例えば、蒲団、毛布、ベッド用敷マット若しくは枕として用いられる。
【００１２】
本発明において用いられる粒子状黒鉛は、何等かの作用により、その使用者を安静化させるものと考えられる。このため、使用者は、睡眠時において無意識にリラックスすることができ、呼吸数が減少して深睡眠へ誘導され得る。
【発明の効果】
【００１３】
本発明の寝具は、粒子状黒鉛を含むものであるため、使用者を深睡眠へ誘導することができる。
【発明を実施するための最良の形態】
【００１４】
形態１
図１、２を参照して、本発明の寝具の一形態を説明する。図において、寝具１は、敷蒲団、掛蒲団、毛布若しくはベッド用敷マット等として用いられるシート状のものであり、基材層２、黒鉛層３および表層４を主に備えている。基材層２は、概ね一定の厚みを有するクッション層であり、寝具の種類に応じ、例えば、綿、毛、ポリエチレンテレフタレート綿、ポリエステル繊維、ポリアミド繊維およびポリアクリル繊維のような繊維群若しくはこれらの繊維からなる布帛、球状に成形された綿や発泡ポリスチレン粒子のような粒子群、羽毛群若しくはポリウレタン成形体や発泡ポリウレタン成形体のような弾性成形体を用いて形成されている。この基材層２は、二種以上の材料を用いて形成されていてもよい。例えば、繊維群と粒子群とを混在させたものや、弾性成形体層上に繊維群層を配置した二層構造のものであってもよい。
【００１５】
黒鉛層３は、基材層２の片面上に配置されたものであり、例えば、通気性を有する布帛の片面全面に接着剤を塗布し、この接着剤に黒鉛を均一に吹付けて接着したものである。また、基材層２が布帛や弾性成形体の場合、黒鉛層３は、基材層２の片面全面に接着剤を直接塗布し、この接着剤に黒鉛を均一に吹付けて接着したものであってもよい。黒鉛層３において用いられる黒鉛は、粒子状黒鉛、特に、平均粒径が０．００５〜５ｍｍ、好ましくは０．０１〜３ｍｍの粒子状黒鉛である。黒鉛層３において用いられる黒鉛は、繊維状黒鉛を含んでいてもよい。なお、粒子状黒鉛の上記平均粒径は、粗い粒子については篩分級によってフラクションから求めたものであり、細かい粒子についてはディスク遠心沈降法により測定したものである。
【００１６】
ここで用いられる粒子状黒鉛は、炭素含有量が９９重量％以上の高純度のものである。このような黒鉛は、コークス、木炭および熱硬化性樹脂炭などの炭素材料を２，０００℃以上で加熱処理するか、天然黒鉛を精製することにより得られ、通常、密度が１．６ｇ／ｃｍ３以上（上限は理論値の２．２６６ｇ／ｃｍ３）であり、また、Ｘ線回折法により測定される（００４）の半値幅が２θで３度以下を示し、かつ、同法により測定されるＣ軸方向の結晶子の大きさが１，０００オングストロームを超える特性を示すものである。
【００１７】
表層４は、基材層２および黒鉛層３の全体を覆うものであり、蒲団や毛布などの敷物用若しくは掛物用の寝具の表皮として通常用いられる各種の布帛、特に、通気性の布帛からなるものである。表層４の厚さは、通常、０．０１〜１ｍｍに設定するのが好ましく、０．１〜０．７ｍｍに設定するのが特に好ましい。この厚さが０．０１ｍｍ未満の場合は、黒鉛層３による異物感が身体に伝わりやすくなり、却って睡眠を妨げる可能性がある。逆に、１ｍｍを超えると、黒鉛層３からの後述する作用が身体へ伝わりにくくなり、使用者を深睡眠へ誘導しにくくなる可能性がある。
【００１８】
なお、上述の寝具１は、必要に応じ、キルティング加工などの加工が施されていてもよい。
【００１９】
次に、上述の寝具１の使用方法を説明する。
寝具１が敷蒲団若しくはベッド用敷マットのような敷物寝具の場合、黒鉛層３側が上側（すなわち、使用者の身体側）に位置するように寝具１を畳上やベッド上に配置する。そして、寝具１の表面をシーツで覆い、使用者は、当該シーツ上に臥して就寝する。一方、寝具１が掛蒲団や毛布のような掛物寝具の場合、寝具１の使用者は、敷蒲団やベッドの上に臥し、黒鉛層３側が下側（すなわち、使用者の身体側）に位置するように寝具１で身体を覆って就寝する。後者の場合、寝具１は、通気性を有する袋状のカバー内に収容して用いることもできる。
【００２０】
このようにして使用される寝具１は、黒鉛層３が使用者に対して何等かの作用を与え、使用者は、睡眠中において継続的にこの作用を無意識に身体で受けてリラックスし、呼吸数が減少して深睡眠へ誘導される。したがって、この寝具１を用いれば、通常の寝具やこれまでの機能性寝具を用いた場合に比べ、疲労回復効果が高まり、心身の活力が回復しやすくなる。
【００２１】
なお、上述の寝具１は、基材層２および黒鉛層３の全体を表層４で覆っているが、表層４は、基材層２の種類によっては黒鉛層３のみを覆っていてもよい。
【００２２】
形態２
図３、４を参照して、本発明の寝具の他の例を説明する。図において、寝具１０は、枕であり、基材層１１、黒鉛層１２および表層１３を主に備えている。基材層１１は、所定の枕形状に形成されたクッション層であり、例えば、そば殻や発泡ポリスチレン粒子のような粒子群、羽毛群若しくは発泡ポリウレタン成形体のような弾性成形体を用いて形成されている。この基材層１１は、二種以上の材料を用いて形成されていてもよい。例えば、そば殻と発泡ポリスチレン粒子とを混合したものが用いられてもよい。
【００２３】
黒鉛層１２は、基材層１１の側面を除く表面全体に配置されたものであり、例えば、通気性を有する布帛の片面全面に接着剤を塗布し、この接着剤に黒鉛を均一に吹付けて接着したものである。また、基材層１１が弾性成形体の場合、黒鉛層１２は、基材層１１の側面を除く表面全体に接着剤を塗布し、この接着剤に黒鉛を均一に吹付けて接着したものであってもよい。黒鉛層１２において用いられる黒鉛は、粒子状黒鉛、特に、形態１の寝具１において用いられるものと同様の平均粒径のものが好ましく、炭素含有量が９９重量％以上の高純度のものである。黒鉛層１２において用いられる黒鉛は、繊維状黒鉛を含んでいてもよい。
【００２４】
表層１３は、基材層１１および黒鉛層１２の全体を覆うものであり、枕の表皮として通常用いられる各種の布帛、特に、通気性の布帛からなるものである。表層１３の厚さは、形態１の寝具１において用いられる表層４と同様に設定されるのが好ましい。
【００２５】
上述の寝具１０は、通常の枕と同様にして用いることができる。使用時において、寝具１０は、通気性を有する袋状のカバー内に収容されてもよい。このようにして用いられる寝具１０は、黒鉛層１２が使用者に対して何等かの作用を与え、使用者は、睡眠中において継続的にこの作用を無意識に頭部で受けてリラックスし、呼吸数が減少して深睡眠へ誘導される。したがって、この寝具１０を用いれば、通常の寝具やこれまでの機能性寝具を用いた場合に比べ、疲労回復効果が高まり、心身の活力が回復しやすくなる。
【００２６】
なお、寝具１０において、黒鉛層１２は、使用者の頭部を載せる部分にのみ配置することもできる。
【００２７】
形態３
図５、６を参照して、本発明の寝具のさらに他の形態を説明する。図において、寝具２０は、敷蒲団、掛蒲団若しくはベッド用敷マットとして用いられるシート状のものであり、黒鉛層２１と表層２２とを主に備えている。
【００２８】
黒鉛層２１は、粒子状黒鉛を含んでいる。ここで用いられる粒子状黒鉛は、形態１の寝具１において用いられるものと同様の平均粒径のものが好ましく、炭素含有量が９９重量％以上の高純度のものである。この黒鉛層２１は、粒子状黒鉛のみからなるものであってもよいし、粒子状黒鉛とともに、繊維状黒鉛、綿、ポリエチレンテレフタレート綿、ポリエステル繊維、ポリアミド繊維およびポリアクリル繊維のような繊維群、球状に成形された綿や発泡ポリスチレン粒子のような粒子群並びに羽毛のうちの一種若しくは二種以上が混在したものであってもよい。
【００２９】
表層２２は、黒鉛層２１を封入するための袋状のものであり、形態１の寝具１において用いられる表層４と同様の材料からなるものである。また、表層２２の厚さは、形態１の寝具１において用いられる表層４と同様に設定されているのが好ましい。
【００３０】
上述の寝具２０は、通常、表層２２内で黒鉛層２１が移動して偏るのを防止するために、キルティング加工２３が施されているのが好ましい。
【００３１】
次に、上述の寝具２０の使用方法を説明する。
寝具２０を敷蒲団若しくはベッド用敷マットのような敷物寝具として用いる場合、寝具２０を畳上やベッド上に配置する。そして、寝具２０の表面をシーツで覆い、使用者は、当該シーツ上に臥して就寝する。一方、寝具２０が掛蒲団のような掛物寝具の場合、寝具２０の使用者は、敷蒲団やベッド上に臥し、寝具２０で身体を覆って就寝する。後者の場合、寝具２０は、通気性を有する袋状のカバー内に収容して用いることもできる。
【００３２】
このようにして使用される寝具２０は、黒鉛層２１の粒子状黒鉛が使用者に対して何等かの作用を与え、使用者は、睡眠中において継続的にこの作用を無意識に身体で受けてリラックスし、呼吸数が減少して深睡眠へ誘導される。したがって、この寝具２０を用いれば、通常の寝具やこれまでの機能性寝具を用いた場合に比べ、疲労回復効果が高まり、心身の活力が回復しやすくなる。
【００３３】
なお、この形態の寝具２０は、俵状に形成すれば、枕として用いることもできる。
【実施例】
【００３４】
［実施例Ａ］
製造例１
８０ｃｍ（長さ）×４０ｃｍ（幅）×０．１７ｃｍ（厚さ）のポリエステル不織布（東洋紡績株式会社製の商品名“ボランス４１３１Ｎ”）の片面上に接着剤（ＢＡＳＦ社製のの商品名“アクロナールＡ３７８”）を均一に塗布し、当該接着剤の上に平均粒径が２．０ｍｍの黒鉛粒子を２００ｇ／ｍ２の割合で均一に吹付けて固定し、敷蒲団用マットを製造した。ここで用いた黒鉛粒子は、中越黒鉛工業所株式会社製の商品名“Ｇ３１”（炭素含有率＝９９．７％、密度＝２．２３ｇ／ｃｍ３、（００４）の半値幅（２θ）＝１．８度、Ｃ軸方向の結晶子の大きさ＝１，０００オングストローム以上）である。
【００３５】
評価
被験者Ａ（２１歳、女性）について、日常使用している敷蒲団（ポリエステル１００％のもの）および掛蒲団（ダウンが７０〜９０％で残余がフェザーのもの）を用いて就寝中（試験例１）の呼吸数の変化を観測した。また、同じ被験者Ａについて、敷蒲団を製造例１で製造した敷蒲団用マットに替えて就寝した場合（試験例２）の呼吸数の変化を観測した。なお、試験例１では敷蒲団上に厚さ約０．１ｍｍのシーツを、また、試験例２では敷蒲団用マットの黒鉛粒子層上に厚さ約０．１ｍｍのシーツを敷き、シーツ上に臥して就寝した。
【００３６】
ここで計測した被験者の呼吸数は、１分当りの呼吸回数を意味している。呼吸数の計測は、図７に示すように、被験者３０の背中と敷布団３１との間に力学センサー３２を挿入し、呼吸時に発生する微妙な圧力の変化を動圧として捉える方法を使った。すなわち、力学センサー３２が検出した圧力信号をアンプ３３で増幅した後にＡ／Ｄ変換器３４でデジタル化し、このデータをコンピュータ３５に入力して算出した。この方法によれば、被験者は、身体への電極の装着による拘束やストレスを受けずに自然な状態で睡眠をとることができる。
【００３７】
試験例１および２の結果をそれぞれ図８および図９に示す。また、睡眠中の被験者Ａの平均呼吸数および呼吸数変化の傾向を整理した結果を表１に示す。呼吸数変化の傾向において示した矢印の意味は次の通りである。
・水平の矢印：睡眠時間が経過しても、呼吸数は概ね一定である。
・右上がりの矢印：睡眠時間が経過するに従い、呼吸数が増加傾向になる。
・右下がりの矢印：睡眠時間が経過するに従い、呼吸数が減少傾向になる。
【００３８】
【表１】
2008048919.tif 000003
【００３９】
図８および図９並びに表１によると、被験者Ａは、試験例１において睡眠時間の経過に伴い呼吸数が増加する傾向にあるが、試験例２において呼吸数の増加が抑制されている。この結果より、被験者Ａは、製造例１で得られた寝具の使用により、深睡眠状態へ誘導されやすいことがわかる。
【００４０】
［実施例Ｂ］
被験者Ｂ（２１歳、女性）について、日常使用している敷蒲団（ポリエステル１００％のもので、厚さ約０．１ｍｍのシーツを敷いたもの）および掛蒲団（ダウンが７０〜９０％で残余がフェザーのもの）を用いて就寝中の呼吸数の変化を実施例Ａの評価と同様の方法で六夜測定したところ、睡眠中の呼吸数が減少傾向にあるのは一夜だけであった。
【００４１】
同じ被験者Ｂについて、敷蒲団とシーツとの間に黒鉛シートを配置して就寝した場合の呼吸数の変化を同様に六夜測定したところ、睡眠中の呼吸数が減少傾向にあるのは二夜であった。ここで用いた黒鉛シートは、９００ｍｍ（長さ）×４６０ｍｍ（幅）×２ｍｍ（厚さ）のポリエスエル製不織布の表面に製造例１で用いたものと同じ接着剤を均一に塗布し、当該接着剤の上に製造例１で用いたものと同じ黒鉛粒子を２００ｇ／ｍ２の割合で均一に吹付けて固定したものである。また、同じ被験者Ｂについて、敷蒲団の下に同様の黒鉛シートを配置して就寝した場合の呼吸数の変化を六夜測定したところ、睡眠中の呼吸数が減少傾向を示すことはなかった。
【００４２】
以上の結果によると、寝具において、黒鉛層は、身体に近い位置に配置されている方が使用者を深睡眠に誘導しやすいことがわかる。
【００４３】
［実施例Ｃ］
製造例２
２００ｃｍ（長さ）×９８ｃｍ（幅）×１．６ｃｍ（厚さ）のポリエステル不織布（東洋紡績株式会社製の商品名“ボランス４１３１Ｎ”）の片面上に接着剤（ＢＡＳＦ社製の商品名“アクロナールＡ３７８”を均一に塗布し、当該接着剤の上に平均粒径が０．１ｍｍの黒鉛粒子を１１０ｇ／ｍ２の割合で均一に吹付けて固定し、敷蒲団用マットを製造した。ここで用いた黒鉛粒子は、黒鉛エスイーシー株式会社製の商品名“ＳＧＰ１００”（炭素含有率＝９９．７％、密度＝２．２３ｇ／ｃｍ３、（００４）の半値幅（２θ）＝１．８度、Ｃ軸方向の結晶子の大きさ＝１，０００オングストローム以上）である。
【００４４】
比較製造例１
製造例２で用いたものと同様のポリエステル不織布の片面上に接着剤（ＢＡＳＦ社製の商品名“アクロナールＡ３７８”を均一に塗布し、当該接着剤の上に平均粒径が１ｍｍの粒子状炭素を１７５ｇ／ｍ２の割合で均一に吹付けて固定し、敷蒲団用マットを製造した。ここで用いた粒子状炭素は、中越黒鉛工業所株式会社製の商品名“ニードルコークスＣＭＷ１５”（炭素含有率＝９９．６％、密度＝２．１２ｇ／ｃｍ３）である。
【００４５】
評価
被験者Ｃ（２１歳、男性）について、日常使用している敷蒲団（ポリエステル１００％のもの）および掛蒲団（ダウンが７０〜９０％で残余がフェザーのもの）を用いて就寝中の呼吸数の変化を二夜観測した（試験例３Ａ，３Ｂ）。また、同じ被験者Ｃについて、敷蒲団をそれぞれ製造例２で製造した敷布団用マットに替えて就寝した場合（試験例４）および比較製造例１で製造した敷蒲団用マットに替えて就寝した場合（試験例５）の呼吸数の変化を観測した。なお、試験例３Ａ，３Ｂでは敷蒲団上に厚さ約０．１ｍｍのシーツを、また、試験例４，５では敷蒲団用マットの黒鉛粒子層上若しくは粒子状炭素層上に厚さ約０．１ｍｍのシーツを敷き、シーツ上に臥して就寝した。呼吸数は、実施例Ａの評価と同様の方法で測定した。
【００４６】
試験例３Ａ，３Ｂ並びに試験例４および試験例５の結果をそれぞれ図１０、図１１、図１２および図１３に示す。また、睡眠中の被験者Ｃの平均呼吸数および呼吸数変化の傾向を整理した結果を表２に示す。呼吸数変化の傾向において示した矢印の意味は表１と同じである。
【００４７】
【表２】
2008048919.tif 000004
【００４８】
図１０〜１３および表２によると、被験者Ｃは、試験例３Ａ，３Ｂおよび試験例５において睡眠中の呼吸数が概ね一定であるが、試験例４において呼吸数が減少している。この結果より、被験者Ｃは、製造例２で得られた寝具の使用により、深睡眠状態へ誘導されやすいことがわかる。
【図面の簡単な説明】
【００４９】
【図１】本発明の寝具の一例の斜視図。
【図２】図１のＩＩ−ＩＩ断面図。
【図３】本発明の寝具の他の例の斜視図。
【図４】図３のＩＶ−ＩＶ断面図。
【図５】本発明の寝具のさらに他の例の斜視図。
【図６】前記さらに他の例の断面図。
【図７】実施例Ａの評価における呼吸数の測定方法を説明した図。
【図８】実施例Ａの試験例１の結果を示すグラフ。
【図９】実施例Ａの試験例２の結果を示すグラフ。
【図１０】実施例Ｃの試験例３Ａの結果を示すグラフ。
【図１１】実施例Ｃの試験例３Ｂの結果を示すグラフ。
【図１２】実施例Ｃの試験例４の結果を示すグラフ。
【図１３】実施例Ｃの試験例５の結果を示すグラフ。
【符号の説明】
【００５０】
１，１０，２０  寝具
２，１１  基材層
３，１２，２１  黒鉛層
４，１３，２２  表層
【図１】
2008048919.tif 000005
【図２】
2008048919.tif 000006
【図３】
2008048919.tif 000007
【図４】
2008048919.tif 000008
【図５】
2008048919.tif 000009
【図６】
2008048919.tif 000010
【図７】
2008048919.tif 000011
【図８】
2008048919.tif 000012
【図９】
2008048919.tif 000013
【図１０】
2008048919.tif 000014
【図１１】
2008048919.tif 000015
【図１２】
2008048919.tif 000016
【図１３】
2008048919.tif 000017